(57)【特許請求の範囲】
【請求項１】
複数の型部を有し、複数の前記型部同士が組み合わされることで、所定の樹脂部の射出成形時に溶融樹脂が射出されるキャビティを複数形成する、金型と、
複数の前記キャビティのそれぞれに設置され、前記樹脂成形品に形成される孔部に結合することで前記樹脂成形品を保持する、複数のセット軸と、
複数の前記セット軸同士を連結するための連結部材と、
複数の前記キャビティに対応して設けられ、前記樹脂成形品を各前記金型から取り出すことが可能に構成された取出機構と、
を備え、
各前記セット軸は、前記孔部と嵌合する嵌合部を含む第１軸部と、この第１軸部とは分離して形成され前記第１軸部を支持し前記第１軸部とは各前記セット軸が並んでいる所定の配列方向に相対変位可能な第２軸部と、を含み、
前記連結部材は、各前記セット軸の前記第２軸部に結合され、
前記取出機構は、複数の前記型部が分離された状態の前記金型から前記樹脂成形品を取り出すためのエジェクタピンであって、複数の前記キャビティに対応して複数設けられ、各エジェクタピンがそれぞれ一部材で形成されたエジェクタピンを含み、
各前記エジェクタピンの直径は、前記セット軸の直径よりも細いことを特徴とする、樹脂成形品製造装置。
【請求項２】
請求項１に記載の樹脂成形品製造装置であって、
各前記セット軸において、前記第１軸部および前記第２軸部は、互いに突き合わされる端面を有し、
各前記端面は、前記配列方向に相対的にスライド可能であることを特徴とする、樹脂成形品製造装置。
【請求項３】
請求項１または請求項２に記載の樹脂成形品製造装置であって、
前記取出機構は、複数の前記型部が分離された状態において前記金型に対して前記樹脂成形品を前記セット軸の軸方向の一方に変位させることで前記樹脂成形品を前記金型から取り出すように構成され、
各前記第１軸部が前記金型に対して前記軸方向の一方に所定量以上変位することを規制するための変位規制部、をさらに備えていることを特徴とする、樹脂成形品製造装置。
【請求項４】
請求項１ないし請求項３の何れか１項に記載の樹脂成形品製造装置であって、
前記第１軸部と前記第２軸部とを連結する第２連結部材をさらに備え、
前記第２連結部材は、前記第１軸部と前記第２軸部とを、前記セット軸の軸方向に一体移動可能に、且つ、前記配列方向に相対変位可能に連結することを特徴とする、樹脂成形品製造装置。
【請求項５】
請求項４に記載の樹脂成形品製造装置であって、
前記第２軸部は、筒状部を有し、
前記第２連結部材は、前記第１軸部に固定される固定部と、この固定部から延び前記筒状部に隙間をあけて嵌合される主軸部と、この主軸部からこの主軸部の径方向外方に延びる張出部と、を有し、
前記張出部は、前記第１軸部と協働して前記第２軸部を前記軸方向に挟むように配置されていることを特徴とする、樹脂成形品製造装置。
【請求項６】
請求項５に記載の樹脂成形品製造装置であって、
前記主軸部と前記筒状部との間の前記隙間は、前記配列方向の隙間であることを特徴とする、樹脂成形品製造装置。
【請求項７】
請求項４ないし請求項６の何れか１項に記載の樹脂成形品製造装置であって、
前記取出機構は、複数の前記型部が分離された状態において前記金型に対して前記樹脂成形品を前記軸方向の一方に変位させることで前記樹脂成形品を前記金型から取り出すように構成され、
前記取出機構は、複数の前記第１軸部を前記樹脂成形品から抜き取る駆動力を前記第１軸部に付与するためのセット軸駆動部をさらに備えていることを特徴とする、樹脂成形品製造装置。
【請求項８】
請求項７に記載の樹脂成形品製造装置であって、
前記セット軸駆動部は、前記連結部材を前記軸方向の他方に変位させることで、複数の前記第１軸部を一括して前記樹脂成形品から抜き取ることを特徴とする、樹脂成形品製造装置。
【請求項９】
請求項１ないし請求項８の何れか１項に記載の樹脂成形品製造装置であって、
前記取出機構は、前記樹脂成形品を前記金型から取り出す動作とは独立して、前記樹脂成形品の前記孔部から各前記第１軸部を取り出すための動作が可能に構成されていることを特徴とする、樹脂成形品製造装置。
【請求項１０】
請求項９に記載の樹脂成形品製造装置であって、
前記取出機構は、前記エジェクタピンを駆動させるためのエジェクタピン駆動部をさらに有していることを特徴とする、樹脂成形品製造装置。
【請求項１１】
請求項１０に記載の樹脂成形品製造装置であって、
前記取出機構は、前記セット軸の前記第２軸部と前記エジェクタピンとを前記セット軸の軸方向に一体に変位可能に構成されていることを特徴とする、樹脂成形品製造装置。
【請求項１２】
請求項１１に記載の樹脂成形品製造装置であって、
前記連結部材は、前記セット軸の第２軸部、および、前記エジェクタピンの双方と前記軸方向に一体的に変位可能に連結されていることを特徴とする、樹脂成形品製造装置。
【請求項１３】
請求項１０に記載の樹脂成形品製造装置であって、
前記取出機構は、前記セット軸の前記第２軸部と前記エジェクタピンとを独立して前記セット軸の軸方向に変位可能に構成されていることを特徴とする、樹脂成形品製造装置。
【請求項１４】
請求項１３に記載の樹脂成形品製造装置であって、
前記取出機構は、前記セット軸を前記樹脂成形品の前記孔部から抜き出すように前記セット軸を変位させるためのセット軸駆動部と、このセット軸駆動部とは独立して動作可能に構成され前記エジェクタピンを変位させるためのエジェクタピン駆動部と、を有していることを特徴とする、樹脂成形品製造装置。
【請求項１５】
請求項９ないし請求項１４の何れか１項に記載の樹脂成形品製造装置であって、
前記取出機構は、前記エジェクタピンを前記金型に対して前記セット軸の軸方向の一方に変位させることで、前記樹脂成形品を、複数の前記型部が分離された状態の前記金型から取り出し、その後、前記セット軸の前記第１軸部を前記樹脂成形品に対して前記軸方向の他方に変位させることで、前記樹脂成形品を前記セット軸から取り出すことを特徴とする、樹脂成形品製造装置。
【請求項１６】
請求項９ないし請求項１５の何れか１項に記載の樹脂成形品製造装置であって、
各前記キャビティは、前記樹脂部の外周面を形成する外周面形成部を含み、
前記取出機構は、前記樹脂成形品を前記外周面形成部から抜き出すことで、前記樹脂成形品を、複数の前記型部が分離された状態の前記金型から取り出すことを特徴とする、樹脂成形品製造装置。
【請求項１７】
請求項９ないし請求項１６の何れか１項に記載の樹脂成形品製造装置であって、
前記取出機構は、複数の前記キャビティにおける複数の前記セット軸の動作タイミングを異ならすようにして複数の前記セット軸を動作させることが可能に構成されていることを特徴とする、樹脂成形品製造装置。
【請求項１８】
請求項９ないし請求項１７の何れか１項に記載の樹脂成形品製造装置であって、
各前記キャビティに前記セット軸が複数設けられていることを特徴とする、樹脂成形品製造装置。
【請求項１９】
請求項１ないし請求項１８の何れか１項に記載の樹脂成形品製造装置であって、
前記セット軸は、前記キャビティ内に配置されるインサートに形成された孔部に嵌合可能に構成されていることを特徴とする、樹脂成形品製造装置。
【請求項２０】
請求項１ないし請求項１９の何れか１項に記載の樹脂成形品製造装置の各前記キャビティに溶融樹脂を射出する、樹脂部形成ステップを含んでいることを特徴とする、樹脂成形品製造方法。
【発明の詳細な説明】
【技術分野】
【０００１】
本発明は、樹脂成形品製造装置、および、樹脂成形品製造方法に関する。
【背景技術】
【０００２】
樹脂成形品を製造するための製造装置として、種々の構成が提案されている（たとえば、特許文献１〜４参照）。
【０００３】
特許文献１に記載の射出成形機は、キャビティ内の樹脂成形品をキャビティから取り出すことなどに用いられる複数の押し出しロッドを交互に時間差を置いて切り換え作動させる構成を有している。
【０００４】
特許文献２に記載の射出成形用金型は、樹脂製のハスバ歯車を射出成形し、冷却・固化したハスバ歯車を金型から離型する構成を有している。ハスバ歯車は、キャビティ内で射出成形によって形成された後、金型およびコアピンから取り外される。
【０００５】
特許文献３に記載の射出成形装置は、可動金型と固定金型とで形成されるキャビティ内に樹脂を射出するように構成されている。
【０００６】
特許文献４に記載の光ディスク製造用金型は、キャビティ内で形成された光ディスクをエジェクトピストンで押し出すことで、キャビティから光ディスクを取り出すように構成されている。
【先行技術文献】
【特許文献】
【０００７】
【特許文献１】特開平７−２３７２５２号公報
【特許文献２】特開２００２−１２０２６０号公報
【特許文献３】特開２０１０−２３３７１号公報
【特許文献４】特開平８−２５５０３号公報
【発明の概要】
【発明が解決しようとする課題】
【０００８】
たとえば、芯金などのインサートがキャビティに配置される場合、インサートに形成された孔部に、セット軸（コアピン）が嵌合される。この状態で、セット軸は、インサートをキャビティ内で保持する。そして、キャビティ内に溶融樹脂が射出され、この溶融樹脂が固まると、樹脂部とインサートが一体の樹脂成形品が形成される。その後、金型の可動金型が固定金型から取り外された状態で、樹脂成形品は、可動金型およびセット軸から取り外される。
【０００９】
樹脂成形品製造装置においては、複数のキャビティが横並びに配置されている場合がある。この場合、セット軸は、キャビティ毎に設けられる。そして、セット軸は、たとえば、連結部材によって互いに連結される。連結部材は、油圧シリンダなどのアクチュエータに接続されている。また、各キャビティには、エジェクタピンが配置されている。エジェクタピンが樹脂成形品をキャビティから押し出す動作に合わせて連結部材が変位することで、複数のセット軸が一括して変位され、各キャビティから樹脂成形品が取り出される。
【００１０】
このような構成において、各キャビティに対応して設けられたセット軸は、キャビティに臨んでいる先端部においては、溶融した高温の樹脂からの熱を受けて高温になる。一方、各セット軸のうち、連結部材に連結されている基端部は、溶融した高温の樹脂から受ける熱量が小さい。このため、各セット軸においては、先端部と基端部とで大きな温度差が生じ、熱伸び量に差が生じる。
【００１１】
その結果、複数のセットの先端部間のピッチ（中心軸線間隔）が大きくなる一方、複数のセット軸の基端部間のピッチはほぼ変化しない。このため、各セット軸は、連結部材との結合部分の根元周辺から曲がった状態となる。これにより、セット軸が金型に引っ掛かるなどの動作不良が生じるおそれがある。
【００１２】
しかしながら、特許文献１〜４には、何れも、このような、複数のキャビティ毎に設けられたセット軸の熱伸び量の偏りに起因する不具合について、特段の示唆をしているわけではない。
【００１３】
本発明は、上記実情に鑑みることにより、樹脂成形品製造装置の複数のキャビティのそれぞれに設けられ互いに連結されたセット軸に関して、熱伸びの偏りに起因する動作不良をより確実に抑制できる、樹脂成形品製造装置、および、樹脂成形品製造方法を提供することを目的とする。
【課題を解決するための手段】
【００１４】
（１）上記課題を解決するために、この発明のある局面に係わる樹脂成形品製造装置は、複数の型部を有し、複数の前記型部同士が組み合わされることで、所定の樹脂部の射出成形時に溶融樹脂が射出されるキャビティを複数形成する、金型と、複数の前記キャビティのそれぞれに設置され、前記樹脂成形品に形成される孔部に結合することで前記樹脂成形品を保持する、複数のセット軸と、複数の前記セット軸同士を連結するための連結部材と、複数の前記キャビティに対応して設けられ、前記樹脂成形品を各前記金型から取り出すことが可能に構成された取出機構と、を備え、各前記セット軸は、前記孔部と嵌合する嵌合部を含む第１軸部と、この第１軸部とは分離して形成され前記第１軸部を支持し前記第１軸部とは各前記セット軸が並んでいる所定の配列方向に相対変位可能な第２軸部と、を含み、前記連結部材は、各前記セット軸の前記第２軸部に結合され、前記取出機構は、複数の前記型部が分離された状態の前記金型から前記樹脂成形品を取り出すためのエジェクタピンであって、複数の前記キャビティに対応して複数設けられ、各エジェクタピンがそれぞれ一部材で形成されたエジェクタピンを含み、各前記エジェクタピンの直径は、前記セット軸の直径よりも細い。
【００１５】
この構成によると、キャビティに溶融した高温の樹脂が流れこむことで、各セット軸のうちキャビティに近い先端側の第１軸部が高温になり、連結部材に近い基端側の第２軸部は常温に近いままとなる場合がある。この場合、第１軸部および第２軸部は、配列方向に相対的にスライド可能である。このため、複数の第１軸部間のピッチが第１軸部の熱伸びによって大きくなる一方、第２軸部間のピッチの変化量が小さい場合でも、第１軸部と第２軸部と熱伸び差によって、各セット軸が曲げを生じるように傾くことを抑制できる。その結果、各セット軸は、金型に引っ掛かるような変形を生じずに済む。したがって、樹脂成形品製造装置の複数のキャビティのそれぞれに設けられ互いに連結されたセット軸に関して、熱伸びの偏りに起因する動作不良をより確実に抑制できる。
【００１６】
（２）好ましくは、各前記セット軸において、前記第１軸部および前記第２軸部は、互いに突き合わされる端面を有し、各前記端面は、前記配列方向に相対的にスライド可能である。
【００１７】
この構成によると、第１軸部と第２軸部の互いの端面がスライドするという簡易な構成で、第１軸部と第２軸部との相対変位を実現できる。
【００１８】
（３）好ましくは、前記取出機構は、複数の前記型部が分離された状態において前記金型に対して前記樹脂成形品を前記セット軸の軸方向の一方に変位させることで前記樹脂成形品を前記金型から取り出すように構成され、前記樹脂成形品製造装置は、各前記第１軸部が前記金型に対して前記軸方向の一方に所定量以上変位することを規制するための変位規制部、をさらに備えている。
【００１９】
この構成によると、取出機構が動作することで、樹脂成形品は、セット軸の第１軸部とともに軸方向の一方に変位される。この際、第１軸部の過度の変位が規制されるので、第１軸が金型から抜けることを抑制できる。
【００２０】
（４）好ましくは、前記第１軸部と前記第２軸部とを連結する第２連結部材をさらに備え、前記第２連結部材は、前記第１軸部と前記第２軸部とを、前記セット軸の軸方向に一体移動可能に、且つ、前記配列方向に相対変位可能に連結する。
【００２１】
この構成によると、第１軸部と第２軸部との配列方向への相対的な変位を許容しつつ、樹脂成形品が金型から取り出されることに伴って第１軸部が金型から抜けることを防止できる。
【００２２】
（５）より好ましくは、前記第２軸部は、筒状部を有し、前記第２連結部材は、前記第１軸部に固定される固定部と、この固定部から延び前記筒状部に隙間をあけて嵌合される主軸部と、この主軸部からこの主軸部の径方向外方に延びる張出部と、を有し、前記張出部は、前記第１軸部と協働して前記第２軸部を前記軸方向に挟むように配置されている。
【００２３】
この構成によると、第２連結部材は、第１軸部と協働して第２軸部を軸方向に挟むことで、第１軸部と第２軸部との軸方向における一体的な変位をより確実に達成できる。
【００２４】
（６）より好ましくは、前記主軸部と前記筒状部との間の前記隙間は、前記配列方向の隙間である。
【００２５】
この構成によると、主軸部と筒状部との間の隙間ぶん、第１軸部と第２軸部とを配列方向に相対変位させることができる。
【００２６】
（７）好ましくは、前記取出機構は、複数の前記型部が分離された状態において前記金型に対して前記樹脂成形品を前記軸方向の一方に変位させることで前記樹脂成形品を前記金型から取り出すように構成され、前記取出機構は、複数の前記第１軸部を前記樹脂成形品から抜き取る駆動力を前記第１軸部に付与するためのセット軸駆動部をさらに備えている。
【００２７】
この構成によると、取出機構は、複数の型部が分離された状態の金型から樹脂成形品を取り出した後、樹脂成形品とともに金型から抜き出された第１軸部を、セット軸駆動部によって樹脂成形品から抜き出すことができる。
【００２８】
（８）より好ましくは、前記セット軸駆動部は、前記連結部材を前記軸方向の他方に変位させることで、複数の前記第１軸部を一括して前記樹脂成形品から抜き取る。
【００２９】
この構成によると、セット軸駆動部によって、複数のセット軸を一括して樹脂成形品から抜き取ることができるので、樹脂成形品を樹脂成形品製造装置から取り出す作業をより早くできる。
【００３０】
（９）好ましくは、前記取出機構は、前記樹脂成形品を前記金型から取り出す動作とは独立して、前記樹脂成形品の前記孔部から各前記第１軸部を取り出すための動作が可能に構成されている。
【００３１】
この構成によると、取出機構は、樹脂成形品を金型から取り出すタイミングと、樹脂成形品をセット軸の第１軸部から取り出すタイミングとを異ならせることができる。これにより、樹脂成形品は、金型およびセット軸の双方に拘束された２箇所同時拘束の状態において、セット軸および金型の双方から同時に抜き出されることを防止できる。すなわち、樹脂成形品は、まず、金型およびセット軸の何れか一方から取出機構によって取り出され、次いで、金型およびセット軸の何れか他方から取出機構によって取り出される。これにより、樹脂成形品は、外周面と内周面（孔部）の双方から同時に大きな摩擦抵抗を受けて傷が付くことを抑制できる。したがって、セット軸の向き（角度）と樹脂成形品の孔部の向き（角度）とがずれている場合であっても、セット軸は、樹脂成形品の孔部の一部に強く押し当てられずに済む。これにより、樹脂成形品の孔部のうちセット軸に押し当てられている箇所を削ってしまうことを抑制できる。すなわち、樹脂成形品の孔部に損傷部であるアンダーカットが生じることを抑制できる。また、樹脂成形品が金型から取り出される際において、樹脂成形品の外周面と金型の内面との摩擦抵抗を小さくできる。これにより、樹脂成形品の外周面に傷が付くことを抑制できる。
【００３２】
（１０）より好ましくは、前記取出機構は、前記エジェクタピンを駆動させるためのエジェクタピン駆動部をさらに有している。
【００３３】
この構成によると、取出機構のエジェクタピンによって、金型から樹脂成形品を取り出すことができる。
【００３４】
（１１）より好ましくは、前記取出機構は、前記セット軸の前記第２軸部と前記エジェクタピンとを前記セット軸の軸方向に一体に変位可能に構成されている。
【００３５】
この構成によると、セット軸と樹脂成形品の孔部との嵌合状態を維持したまま、樹脂成形品を金型から取り出すことができる。これにより、金型による拘束が解除された状態で、樹脂成形品からセット軸を抜き出すことができる。
【００３６】
（１２）より好ましくは、前記連結部材は、前記セット軸の第２軸部、および、前記エジェクタピンの双方と前記軸方向に一体的に変位可能に連結されている。
【００３７】
この構成によると、１つのアクチュエータで連結部材を駆動することで、セット軸およびエジェクタピンを駆動することができる。すなわち、セット軸を駆動するための駆動部とエジェクタピンを駆動するための駆動部とを別々に設ける必要が無く、樹脂成形品製造装置の構成をより簡素にできる。
【００３８】
（１３）好ましくは、前記取出機構は、前記セット軸の前記第２軸部と前記エジェクタピンとを独立して前記セット軸の軸方向に変位可能に構成されている。
【００３９】
この構成によると、樹脂成形品からセット軸を取り出すタイミングと、金型から樹脂成形品を取り出すタイミングとを、任意に設定することができる。これにより、樹脂成形品への負荷がより少ない態様で、樹脂成形品を金型およびセット軸に対して取り出すことができる。
【００４０】
（１４）より好ましくは、前記取出機構は、前記セット軸を前記樹脂成形品の前記孔部から抜き出すように前記セット軸を変位させるためのセット軸駆動部と、このセット軸駆動部とは独立して動作可能に構成され前記エジェクタピンを変位させるためのエジェクタピン駆動部と、を有している。
【００４１】
この構成によると、セット軸駆動部とエジェクタピン駆動部とを別々に動作させることで、樹脂成形品からセット軸を取り出すタイミングと、金型から樹脂成形品を取り出すタイミングとを、異ならせることができる。
【００４２】
（１５）好ましくは、前記取出機構は、前記エジェクタピンを前記金型に対して前記セット軸の軸方向の一方に変位させることで、前記樹脂成形品を、複数の前記型部が分離された状態の前記金型から取り出し、その後、前記セット軸の第１軸部を前記樹脂成形品に対して前記軸方向の他方に変位させることで、前記樹脂成形品を前記セット軸から取り出す。
【００４３】
この構成によると、取出機構は、セット軸が嵌合した状態の樹脂成形品を、エジェクタピンによって金型から取り出すことができる。この場合、樹脂成形品は、セット軸との間で相対変位を生じないので、セット軸との摺動に起因する傷の発生を抑制できるとともに、樹脂成形品の外周面に作用する負荷が過大にならずに済み、当該外周面の損傷も抑制される。また、樹脂成形品は、金型から取り外された状態で、セット軸の第１軸部を取り外される。この場合、樹脂成形品は、金型による拘束を解かれているので、樹脂成形品と第１軸部との間に作用する摩擦抵抗は、樹脂成形品の外周面が金型に拘束されている場合の摩擦抵抗よりも小さくなる。よって、取出機構は、セット軸の第１軸部を樹脂成形品からより小さい力で取り出すことができる。これにより、セット軸が樹脂成形品の孔部の内周面を傷つける（アンダーカットを生じる）ことをより確実に抑制できる。しかも、このような取出機構の動作は、エジェクタピンとセット軸とを軸方向に変位させる簡易な構成で実現できる。
【００４４】
（１６）好ましくは、各前記キャビティは、前記樹脂部の外周面を形成する外周面形成部を含み、前記取出機構は、前記樹脂成形品を前記外周面形成部から抜き出すことで、前記樹脂成形品を、複数の前記型部が分離された状態の前記金型から取り出す。
【００４５】
この構成によると、樹脂成形品は、金型において特に外周面形成部から拘束力を受ける。そして、取出機構が樹脂成形品を外周面形成部から取り出すことで、樹脂成形品に作用する拘束力を解放することができる。
【００４６】
（１７）好ましくは、前記取出機構は、複数の前記キャビティにおける複数の前記セット軸の動作タイミングを異ならすようにして複数の前記セット軸を動作させることが可能に構成されている。
【００４７】
この構成によると、複数のセット軸の動作を同期させる必要が無い。よって、複数のセット軸を静止状態から動作状態に移行させるタイミングを異ならせることができる。すなわち、各セット軸と対応する樹脂成形品とを静止摩擦状態から動摩擦状態に移行させるタイミングを異ならせることができる。その結果、取出機構の負荷（最大出力）をより低減できる。
【００４８】
（１８）好ましくは、前記キャビティに前記セット軸が複数設けられている。
【００４９】
この構成によると、１つの樹脂成形品に複数の孔部を形成することができる。また、このような場合であっても、樹脂成形品とセット軸との摺動によって樹脂成形品にアンダーカットが生じることは、抑制される。これにより、樹脂成形品製造装置のセット軸に嵌合する樹脂成形品の孔部、および、樹脂成形品の外周面に傷などの損傷が生じることをより確実に抑制できる。
【００５０】
（１９）好ましくは、前記セット軸は、前記キャビティ内に配置されるインサートに形成された孔部に嵌合可能に構成されている。
【００５１】
この構成によると、樹脂成形品製造装置は、芯金などのインサートを有する樹脂成形品を形成することができる。特に、インサートの硬度がセット軸の硬度よりも低い場合、インサートの孔部とセット軸との間でアンダーカットが生じ易い傾向にある。しかしながら、樹脂成形品製造装置は、孔部とセット軸との摺動によるアンダーカットの発生を抑制できるので、インサートの硬度が低い場合でも、当該インサートにアンダーカットが発生することをより確実に抑制できる。
【００５２】
（２０）上記課題を解決するために、この発明のある局面に係わる樹脂成形品の製造方法は、前記樹脂成形品製造装置の各前記キャビティに溶融樹脂を射出する、樹脂部形成ステップを含んでいる。
【００５３】
この構成によると、キャビティに溶融した高温の樹脂が流れこむことで、各セット軸のうちキャビティに近い先端側の第１軸部が高温になり、連結部材に近い基端側の第２軸部は常温に近いままとなる場合がある。この場合、第１軸部および第２軸部は、配列方向に相対的にスライド可能である。このため、複数の第１軸部間のピッチが第１軸部の熱伸びによって大きくなる一方、第２軸部間のピッチの変化量が小さい場合でも、第１軸部と第２軸部と熱伸び差によって、各セット軸が曲げを生じるように傾くことを抑制できる。その結果、各セット軸は、金型に引っ掛かるような変形を生じずに済む。したがって、樹脂成形品製造装置の複数のキャビティのそれぞれに設けられ互いに連結されたセット軸に関して、熱伸びの偏りに起因する動作不良をより確実に抑制できる。
【発明の効果】
【００５４】
本発明によると、樹脂成形品製造装置の複数のキャビティのそれぞれに設けられ互いに連結されたセット軸に関して、熱伸びの偏りに起因する動作不良をより確実に抑制できる。
【図面の簡単な説明】
【００５５】
【図１】本発明の第１実施形態にかかる樹脂成形品の模式的な断面図である。
【図２】本発明の第１実施形態にかかる樹脂成形品製造装置の主要部の断面図であり、樹脂成形品を併せて示している。
【図３】図２の金型の一方のキャビティの周辺の拡大図である。
【図４】樹脂成形品製造装置を用いた樹脂成形品の製造の一例を説明するためのフローチャートである。
【図５】樹脂成形品製造装置を用いた樹脂成形品の製造の一例を説明するための断面図であり、インサートがセットされた状態を示している。
【図６】樹脂成形品製造装置を用いた樹脂成形品の製造の一例を説明するための断面図であり、可動型部が固定型部から分離された状態を示している。
【図７】樹脂成形品製造装置を用いた樹脂成形品の製造の一例を説明するための断面図であり、第１取外し作業について示している。
【図８】樹脂成形品製造装置を用いた樹脂成形品の製造の一例を説明するための断面図であり、第２取外し作業について示している。
【図９】樹脂成形品製造装置を用いた樹脂成形品の製造の一例を説明するための断面図であり、第２取外し作業について示している。
【図１０】熱膨張量の違いについて説明するための図である。
【図１１】本発明の第２実施形態にかかる樹脂成形品製造装置の主要部の断面図であり、樹脂成形品を併せて示している。
【図１２】本発明の第３実施形態にかかる樹脂成形品製造装置の主要部の断面図であり、樹脂成形品を併せて示している。
【図１３】本発明の第４実施形態にかかる樹脂成形品製造装置の主要部の断面図であり、樹脂成形品を併せて示している。
【図１４】本発明の第５実施形態にかかる樹脂成形品製造装置の主要部の断面図であり、樹脂成形品を併せて示している。
【発明を実施するための形態】
【００５６】
以下、本発明を実施するための形態について図面を参照しつつ説明する。なお、本発明は、樹脂成形品製造装置、および、樹脂成形品製造方法として、広く適用することができる。
【００５７】
図１は、本発明の第１実施形態にかかる樹脂成形品１００の模式的な断面図である。図２は、本発明の第１実施形態にかかる樹脂成形品製造装置１の主要部の断面図であり、樹脂成形品１００を併せて示している。
【００５８】
図１および図２を参照して、樹脂成形品１００は、全体として円板状に形成されている。樹脂成形品１００が製品として使用される際には、樹脂成形品１００に、連結対象部材としての丸軸状のシャフトＳ１が圧入固定される。
【００５９】
樹脂成形品１００は、（１）インサート形成工程、（２）インサート洗浄工程、（３）インサート予熱工程、（４）射出成形工程を経て完成したものである。
【００６０】
（１）のインサート形成工程は、金属素材にたとえば鍛造、切削などの加工が施されることで、インサート１０１を形成する工程である。（２）のインサート洗浄工程は、アルコールなどの洗浄液でインサート１０１を洗浄し、脱脂する工程である。（３）のインサート予熱工程は、射出成形工程の前工程であり、インサート１０１を所定の温度に加熱する工程である。
【００６１】
（４）の射出成形工程は、金型２のキャビティ３内にインサート１０１をセットし、金型２のゲート部４からキャビティ３に向けて溶融樹脂を射出し、樹脂部１０２を形成する工程である。これらの工程を経ることで、樹脂成形品１００が完成する。
【００６２】
樹脂成形品１００は、インサート１０１と、インサート１０１と一体に形成される樹脂部１０２と、を有している。
【００６３】
インサート１０１は、鋼材などの金属製の一体成形品であり、たとえば、円環状に形成されている。
【００６４】
インサート１０１は、円筒部１０１ａと、中間部１０１ｂと、外周部１０１ｃと、を有している。
【００６５】
円筒部１０１ａは、円筒状に形成された、インサート１０１の内周部分である。円筒部１０１ａの一端部は、中間部１０１ｂに連続している。中間部１０１ｂは、円板状に形成された、板状の部分である。中間部１０１ｂは、外周部１０１ｃに連続している。外周部１０１ｃは、環状の鍔状に形成されている。成形品１０１においては、これら円筒部１０１ａ、中間部１０１ｂおよび外周部１０１ｃにかけて、樹脂部１０２が形成されている。
【００６６】
樹脂部１０２は、合成樹脂製の部分である。この合成樹脂として、熱可塑性樹脂（たとえば、６６ナイロンなど）を例示することができる。樹脂部１０２は、円板状に形成されており、インサート１０１の外周部１０１ｃを埋設するように配置され、且つ、インサート１０１の一端面１０１ｄを覆うように形成されている。樹脂部１０２は、インサート１０１が配置された金型２のキャビティ３内に溶融樹脂が射出されることで、形成される。
【００６７】
樹脂部１０２の外周部は、インサート１０１の外周部１０１ｃを成形品１０１の軸方向に挟んでいる。さらに、インサート１０１の外周部１０１ｃの外周面は、ローレット加工などによって、樹脂部１０２との結合力が高められている。
【００６８】
次に、樹脂成形品製造装置１について説明する。
【００６９】
樹脂成形品製造装置１（以下、単に製造装置１ともいう）は、溶融した樹脂を所定の圧力でキャビティ３内に射出することで、キャビティ３内に樹脂部１０２を形成する。
【００７０】
製造装置１は、金型２と、セット軸５と、取出機構６と、を有している。
【００７１】
金型２は、固定型部７と、可動型部８と、を有している。金型２は、固定型部７および可動型部８が組み合わされることで、樹脂部１０２の射出成形時に溶融樹脂が射出されるキャビティ３を形成する。本実施形態では、固定型部７と可動型部８の互いの対向する端面としての対向端面７ａ，８ａが互い突き合わされることで、キャビティ３が形成される。
【００７２】
可動型部８は、本実施形態では、図示しない油圧シリンダなどのアクチュエータによって、固定型部７に対してセット軸５の軸方向Ｘ１に変位可能である。キャビティ３には、樹脂部１０２の射出成形時にインサート１０１が配置されている。当該キャビティ３内に溶融樹脂が射出されることで、樹脂部１０２がインサート１０１に一体に形成される。
【００７３】
金型２には、複数のキャビティ３（３１，３２）が形成される。キャビティ３１，３２は、所定の配列方向Ｈ１に沿って並んでいる。配列方向Ｈ１は、軸方向Ｘ１と直交する方向である。本実施形態では、金型２は、配列方向Ｈ１としての左右方向に並ぶ２つのキャビティ３１，３２を形成している。なお、各キャビティ３１，３２を総称していう場合は、キャビティ３という。キャビティ３１，３２の構成は互いに同様であるので、以下では、主にキャビティ３１について説明する。
【００７４】
図３は、図２の金型２の一方のキャビティ３１の周辺の拡大図である。図３を参照して、キャビティ３１は、一端面形成部１１と、外周面形成部１２と、他端面形成部１３と、インサート受け部１４と、円筒部収容部１５と、ブッシュ収容部１６と、を有している。
【００７５】
一端面形成部１１は、樹脂部１０２の一端面１０２ａを形成するために設けられている。一端面形成部１１は、固定型部７の対向端面７ａに形成されており、樹脂部１０２の一端面１０２ａの形状に対応する形状に形成されている。また、固定型部７には、一端面形成部１１に開放されたゲート部４が形成されている。ゲート部４から、キャビティ３内へ向けて、溶融した樹脂が射出される。
【００７６】
外周面形成部１２は、樹脂部１０２の外周面１０２ｃを形成するために設けられている。外周面形成部１２は、可動型部８の対向端面８ａ側に形成された窪み部８ｂの内周面として形成されており、樹脂部１０２の外周面１０２ｃの形状に対応する形状（本実施形態では、円筒状）に形成されている。
【００７７】
他端面形成部１３は、樹脂部１０２の他端面１０２ｂを形成するために設けられている。他端面形成部１３は、可動型部８の窪み部８ｂの底面および当該底面から隆起した部分に形成されており、樹脂部１０２の他端面１０２ｂの形状に対応する形状に形成されている。他端面形成部１３に隣接して、インサート受け部１４が形成されている。
【００７８】
インサート受け部１４は、キャビティ３内において、インサート１０１の他端面１０１ｅが受けられる部分として、可動型部８の窪み部８ｂのうち当該窪み部８ｂの底面から隆起した形状に形成されている。インサート受け部１４は、インサート１０１の中間部１０１ｂの径方向中間部を受ける円環状に形成されている。インサート受け部１４の径方向内方に、円筒部収容部１５が形成されている。
【００７９】
円筒部収容部１５は、インサート１０１の円筒部１０１ａを収容する部分として設けられている。円筒部収容部１５は、可動型部８内に円柱状の空間を形成している。この円筒部収容部１５に、インサート１０１の円筒部１０１ａが配置される。円筒部収容部１５に対して可動型部８の奥側に、ブッシュ収容部１６が形成されている。
【００８０】
ブッシュ収容部１６は、ブッシュ１７が収容される部分として設けられている。ブッシュ収容部１６は、可動型部８において、窪み部８ｂの奥側に略円柱状の空間を形成している。ブッシュ収容部１６の基端部には、環状の溝部１６ａが形成されている。このブッシュ収容部１６は、ブッシュ１７を保持している。
【００８１】
ブッシュ１７は、セット軸５が可動型部８に対してセット軸５の軸方向Ｘ１に変位することを案内するための軸受部材として設けられている。ブッシュ１７の材質は、ブッシュ１７とセット軸５との摺動に適したものが適宜選択される。ブッシュ１７は、円筒状に形成されており、ブッシュ収容部１６の内周面に嵌合している。また、ブッシュ１７の基端部には、環状の鍔部１７ａが形成されている。この鍔部１７ａは、溝部１６ａに挟まれており、これにより、ブッシュ１７は、可動型部８に固定されている。ブッシュ１７は、セット軸５に貫通された状態で、このセット軸５に嵌合している。キャビティ３内において、インサート１０１は、セット軸５に固定されている。
【００８２】
図２および図３を参照して、セット軸５（５１，５２）は、キャビティ３内において樹脂成形品１００に形成される孔部１０１ｆに嵌合されることで樹脂成形品１００を保持する部材として設けられている。セット軸５１，５２は、それぞれ、キャビティ３１，３２に配置されている。各セット軸５１，５２の構成は、同様であるので、以下では、主にセット軸５１について説明する。なお、セット軸５１，５２を総称していう場合、単にセット軸５という。
【００８３】
セット軸５は、金属製の軸部材であり、本実施形態では、円柱状に形成されている。セット軸５は、キャビティ３の中心部に配置されており、可動型部８側から固定型部７側に向けて延びている。
【００８４】
セット軸５（５１）は、第１軸部２１と、第２軸部２２と、を有している。
【００８５】
第１軸部２１は、セット軸５の先端側の一部を形成している。第１軸部２１は、小径部２３と、大径部２４と、を有している。小径部２３は、第１軸部２１の先端に配置されている。この小径部２３は、嵌合部２５を有している。本実施形態では、嵌合部２５は、小径部２３の外周面の略全域に亘って形成されている。嵌合部２５は、インサート１０１の円筒部１０１ａの孔部１０１ｆに挿入される円筒面であり、この円筒部１０１ａの内周面に嵌合固定される。なお、嵌合部２５とインサート１０１の孔部１０１ｆとの結合力は、嵌合部２５によって樹脂成形品１００の自重を支えることが可能な程度であればよい。本実施形態では、嵌合部２５と孔部１０１ｆのそれぞれの直径は略同じに設定されている。小径部２３の基端部は、大径部２４に連続している。
【００８６】
大径部２４は、小径部２３の直径よりも大きい直径を有する円柱状の部分である。大径部２４は、樹脂成形品１００がキャビティ３内に配置されている状態において、ブッシュ１７に嵌合している。セット軸５のうち、大径部２４が、ブッシュ１７と摺動する。大径部２４は、インサート１０１とは接触していない。大径部２４（第１軸部２１）の基端部は、第２軸部２２に連続している。
【００８７】
本実施形態では、セット軸５の第１軸部２１と第２軸部２２とは、分離して形成されており、互いに独立して変位可能に構成されている。そして、セット軸５のうちの第２軸部２２に後述する連結部材３４が結合されている。すなわち、第２軸部２２は、セット軸５において、第１軸部２１を支持し、且つ、連結部材３４に連結される部分として設けられている。第２軸部２２の先端部および中間部の直径は、第１軸部２１の大径部２４の直径よりも小さく設定されており、ブッシュ１７を貫通可能である。第２軸部２２は、可動型部８に形成された貫通孔部８ｃに隙間をあけて嵌合しており、この貫通孔部８ｃを貫通している。貫通孔部８ｃは、ブッシュ収容部１６に連続している。
【００８８】
第１軸部２１と第２軸部２２は、互いに突き合わされる端面としての第１端面４１および第２端面４２を有している。第１軸部２１の第１端面４１と第２軸部２２の第２端面４２は、軸方向Ｘ１に向かい合っており、互いに突き合わされている。各端面４１，４２は、軸方向Ｘ１と直交する方向に延びている。これにより、各端面４１，４２は、セット軸５が並んでいる配列方向Ｈ１に相対的にスライド可能である。
【００８９】
第２軸部２２の基端部には、環状の鍔部２２ａが形成されている。この鍔部２２ａは、取出機構６の連結部材３４に連結されている。
【００９０】
図２および図３を参照して、取出機構６は、樹脂成形品１００を金型２から取り出すことを可能に構成され、且つ、樹脂成形品１００を金型２から取り出す動作とは独立して、樹脂成形品１００の孔部１０１ｆからセット軸５の第１軸部２１を取り出すための動作が可能に構成されている。
【００９１】
本実施形態では、取出機構６は、後述するエジェクタピン３３を金型２に対してセット軸５の軸方向Ｘ１の一方Ｘ１１に変位させることで、樹脂成形品１００を、固定型部７および可動型部８が分離された状態の金型２から軸方向Ｘ１の一方Ｘ１１に変位させて取り出す。その後、取出機構６は、セット軸５を樹脂成形品１００に対して軸方向Ｘ１の他方Ｘ１２に変位させることで、樹脂成形品１００をセット軸５から取り出す。
【００９２】
取出機構６は、エジェクタピン３３と、連結部材３４と、アクチュエータ３５と、仮保持部３６と、セット軸戻し部４３と、を有している。
【００９３】
エジェクタピン３３は、各キャビティ３１，３２に設けられている。各キャビティ３１，３２において、エジェクタピン３３として、第１エジェクタピン３３１および第２エジェクタピン３３２を有している。なお、第１エジェクタピン３３１および第２エジェクタピン３３２を総称していう場合、エジェクタピン３３という。
【００９４】
エジェクタピン３３は、固定型部７と可動型部８とが分離された状態の金型２から樹脂成形品１００を取り出すために設けられている。各エジェクタピン３３は、可動型部８をセット軸５の軸方向Ｘ１に沿って貫通するように配置された軸状の部材であり、軸方向Ｘ１に沿って延びている。各エジェクタピン３３は、アクチュエータ３５によって、可動型部８に対して当該エジェクタピン３３の長手方向（軸方向Ｘ１）に変位される。
【００９５】
第１エジェクタピン３３１は、樹脂部１０２に接触しつつ、樹脂成形品１００を軸方向Ｘ１の一方Ｘ１１へ変位させるように構成されている。第１エジェクタピン３３１は、可動型部８の他端面形成部１３から、キャビティ３に臨んでいる。第１エジェクタピン３３１は、セット軸５の円周方向に複数、等間隔に配置されている（図３では２つの第１エジェクタピン３３１を図示）。
【００９６】
第２エジェクタピン３３２は、インサート１０１に接触しつつ、樹脂成形品１００を可動型部８から押し出すように変位させるように構成されている。第２エジェクタピン３３２は、可動型部８のインサート受け部１４から、キャビティ３に臨んでいる。第２エジェクタピン３３２は、セット軸５の円周方向に複数、等間隔に配置されている（図３では２つの第２エジェクタピン３３２を図示）。
【００９７】
各エジェクタピン３３の基端部には、環状の鍔部３３ａが形成されている。全てのキャビティ３の全てのエジェクタピン３３およびセット軸５は、何れも、連結部材３４に連結されている。
【００９８】
連結部材３４は、樹脂成形品製造装置１における全てのセット軸５の第２軸部２２と、全てのエジェクタピン３３とを軸方向Ｘ１に一体的に変位可能に連結している。
【００９９】
連結部材３４は、たとえば、ブロック状の部材であり、２つの平板状のプレート部材を互いに固定することで形成されている。連結部材３４は、配列方向Ｈ１に延びており、各キャビティ３と軸方向Ｘ１に向かい合っている。連結部材３４は、各セット軸５の第２軸部２２の鍔部２２ａを軸方向Ｘ１に挟むように構成されており、第２軸部２２に結合されている。各セット軸５は、連結部材３４からキャビティ３に向けて延びている。また、連結部材３４は、各エジェクタピン３３の鍔部３３ａを軸方向Ｘ１に挟むように構成されている。各エジェクタピン３３は、連結部材３４からキャビティ３に向けて延びている。各セット軸５およびエジェクタピン３３は、互いに平行に配置されている。この連結部材３４に、アクチュエータ３５が接続されている。
【０１００】
アクチュエータ３５は、連結部材３４を軸方向Ｘ１に変位させることで、セット軸５の第１軸部２１およびエジェクタピン３３を軸方向Ｘ１に連結部材３４と一体に変位させるために設けられている。アクチュエータ３５は、たとえば、油圧シリンダなどである。
【０１０１】
アクチュエータ３５は、本発明の「エジェクタピン駆動部」の一例であり、樹脂成形品１００を可動型部８から抜き出すためにエジェクタピン３３を軸方向Ｘ１の一方Ｘ１１に変位させる駆動力を各エジェクタピン３３に付与する。
【０１０２】
アクチュエータ３５の出力軸３５ａは、連結部材３４に軸方向Ｘ１に一体的に変位可能に連結されている。
【０１０３】
仮保持部３６は、可動型部８から抜き出された樹脂成形品１００を一時的に保持するために設けられている。仮保持部３６は、樹脂成形品１００を挟むことが可能なクランプ部を含んでいる。
【０１０４】
セット軸戻し部４３は、本発明の「セット軸駆動部」の一例であり、セット軸５の第１軸部２１を樹脂成形品１００の孔部１０１ｆから抜き出すように第１軸部２１を変位させる。セット軸戻し部４３は、各セット軸５の第１軸部２１を対応する樹脂成形品１００から抜き取る駆動力を各セット軸５の第１軸部２１に付与する。
【０１０５】
セット軸戻し部４３は、たとえば、セット軸５の第１軸部２１を保持するための保持部４４と、保持部４４を駆動するためのアクチュエータ（図示せず）と、を有している。保持部４４は、第１軸部２１を保持した状態で、アクチュエータによって動作されることで、この第１軸部２１を軸方向Ｘ１の他方Ｘ１２に変位させることが可能である。キャビティ３１，３２に対応する各セット軸戻し部４３は、セット軸５の第１軸部２１を軸方向Ｘ１の他方Ｘ１２に変位させることで、複数のセット軸５の第１軸部２１を一括して樹脂成形品１００から抜き取ることが可能である。
【０１０６】
以上が、樹脂成形品製造装置１の概略構成である。次に、樹脂成形品製造装置１を用いた樹脂成形品１００の製造の要点について説明する。
【０１０７】
図４は、樹脂成形品製造装置１を用いた樹脂成形品１００の製造の一例を説明するためのフローチャートである。なお、以下では、フローチャートを参照して説明する場合、フローチャート以外の図も適宜参照する。
【０１０８】
図４および図５を参照して、樹脂成形品製造装置１においては、まず、金型２の各キャビティ３にセット軸５をセットし、インサート１０１をキャビティ３内のセット軸５に固定する（ステップＳ１）。ステップＳ１は、本発明の「セットステップ」の一例である。ステップＳ１では、金型２の固定型部７と可動型部８とが分離された状態で、インサート１０１の円筒部１０１ａの孔部１０１ｆが、セット軸５の第１軸部２１に挿入固定（保持）される。その後、可動型部８が固定型部７側へ変位することで、固定型部７と可動型部８の対向端面７ａ，８ａが互いに突き合わされる。これにより、インサート１０１の孔部１０１ｆは、セット軸５に嵌合固定される。
【０１０９】
次に、ゲート部４から溶融した樹脂がキャビティ３内に射出される（ステップＳ２）。ステップＳ２は、本発明の「樹脂部形成ステップ」の一例である。これにより、図２に示すように、キャビティ３内に樹脂部１０２が形成される。これにより、セット軸５の第１軸部２１に嵌合する孔部１０１ｆを有する樹脂成形品１００が完成する。
【０１１０】
次に、可動型部８が、図示しない油圧シリンダなどのアクチュエータによって軸方向Ｘ１の他方Ｘ１２に駆動される。これにより、図６に示すように、可動型部８が固定型部７から分離される（ステップＳ３）。
【０１１１】
次に、第１取外しステップが行われ（ステップＳ４）、その後、第２取外しステップが行われる（ステップＳ５）。本実施形態では、第１取外しステップは、金型２から樹脂成形品１００を取り外すステップである。また、第２取外しステップは、第１取外しステップの後に行われるものであり、セット軸５の第１軸部２１から樹脂成形品１００を取り外すステップである。
【０１１２】
なお、第１取外しステップにおいて、セット軸５から樹脂成形品１００が取り外され第２取外しステップにおいて、金型２から樹脂成形品１００が取り外されてもよい。
【０１１３】
第１取外しステップ（ステップＳ４）では、図７に示すように、アクチュエータ３５の出力軸３５ａが、軸方向Ｘ１の一方Ｘ１１に変位される。これにより、連結部材３４、各エジェクタピン３３、および、各セット軸５は、軸方向Ｘ１の一方Ｘ１１に変位される。この際、エジェクタピン３３は、樹脂成形品１００を軸方向Ｘ１の一方Ｘ１１に加圧させながら変位させる。これにより、エジェクタピン３３は、樹脂成形品１００の外周面１０２ｃを可動型部８の外周面形成部１２と摩擦摺動させながら、樹脂成形品１００を可動型部８から押し出す。
【０１１４】
すなわち、取出機構６は、樹脂成形品１００を外周面形成部１２から抜き出すことで、樹脂成形品１００を、固定型部７および可動型部８が互いに分離された状態の金型２から取り出す。この際、樹脂成形品１００においては、外周面１０２ｃは外周面形成部１２と摩擦摺動するけれども、セット軸５とは摩擦摺動せず、樹脂成形品１００にかかる負荷は小さくされている。
【０１１５】
次に、第２取外しステップ（ステップＳ５）では、図７に示すように、まず、仮保持部３６によって、樹脂成形品１００が保持される。仮保持部３６は、たとえば、クランプ部材であり、樹脂成形品１００を挟むようにして保持する。これにより、樹脂成形品１００は、動かないように固定される。
【０１１６】
この状態において、アクチュエータ３５は、出力軸３５ａを軸方向Ｘ１の他方Ｘ１２に変位するように動作する。これにより、図８に示すように、連結部材３４、各セット軸５の第２軸部２２、および、各エジェクタピン３３は、軸方向Ｘ１の他方Ｘ１２に変位する。この場合、第１軸部２１と第２軸部２２とは互いに分離した構成を有している。このため、第１軸部２１は、樹脂成形品１００の孔部１０１ｆに嵌合したままとなる。この状態において、セット軸戻し部４３の保持部４４は、第１軸部２１のうちインサート１０１から露出している大径部２４を保持する。
【０１１７】
次に、保持部４４は、セット軸戻し部４３の図示しないアクチュエータの動作によって、第１軸部２１とともに樹脂成形品１００に対して軸方向Ｘ１の他方Ｘ１２に変位する。その結果、図９示すように、セット軸５の第１軸部２１は、インサート１０１の孔部１０１ｆから引き抜かれる。この際、樹脂成形品１００は、外周面形成部１２の拘束を受けていないので、孔部１０１ｆとセット軸５の嵌合部２５との間の摩擦抵抗は、小さい。このように、取出機構６は、樹脂成形品１００を金型２から取り出す動作の後に、樹脂成形品１００の孔部１０１ｆからセット軸５の第１軸部２１を取り出す動作を行う。保持部４４は、樹脂成形品１００から引き抜かれた後の第１軸部２１の保持を解除し、第１軸部２１は、第２軸部２２側に戻されて樹脂部１０２が形成されるときの位置に戻る。
【０１１８】
なお、キャビティ３が高温（たとえば、約１３０℃）の状態で射出成形が行われる場合、金型２においては、キャビティ３から遠ざかるほど、温度が低くなる。このため、キャビティ３と連結部材３４との温度差が大きくなる。この場合、各セット軸５において、第１軸部２１の温度は、第２軸部２２の温度よりも高くなり、且つ、連結部材３４の温度よりも高くなる。その結果、図１０に示すように、複数のセット軸５１，５２の第１軸部２１，２１間のピッチＡ１（中心線間の間隔）は、第２軸部２２，２２間のピッチＡ２よりも大きくなる。
【０１１９】
本実施形態では、第１軸部２１の端面４１と第２軸部２２の端面４２とが配列方向Ｈ１にスライド可能である。よって、各セット軸５において、上記の熱膨張量の差をこの端面４１，４２間のスライドで吸収できるので、この差に起因する、セット軸５の動作不良を抑制できる。なお、この場合の動作不良とは、セット軸５が可動金型８に引っ掛かって軸方向Ｘ１の動作が規制されることなどをいう。
【０１２０】
以上説明したように、本実施形態によると、各セット軸５において、第１軸部２１と第２軸部２２とは、配列方向Ｈ１に相対変位可能である。この構成によると、キャビティ３に溶融した高温の樹脂が流れこむことで、各セット軸５のうちキャビティ３に近い先端側の第１軸部２１が高温になり、連結部材３４に近い基端側の第２軸部２２は常温に近いままとなる場合がある。この場合、第１軸部２１および第２軸部２２は、配列方向Ｈ１に相対的にスライド可能である。このため、複数の第１軸部２１，２１間のピッチＡ１が第１軸部２１，２１およびその周囲の熱伸びによって大きくなる一方、第２軸部２２，２２間のピッチＡ２は変化しない場合でも、第１軸部２１と第２軸部２２との熱伸び差によって、各セット軸５が曲げを生じるように傾くことを抑制できる。その結果、各セット５軸は、金型２に引っ掛かるような変形を生じずに済む。したがって、樹脂成形品製造装置１の複数のキャビティ３のそれぞれに設けられ互いに連結されたセット軸５に関して、熱伸びの偏りに起因する動作不良をより確実に抑制できる。
【０１２１】
また、本実施形態によると、第１軸部２１と第２軸部２２の互いの端面４１，４２がスライドするという簡易な構成で、第１軸部２１と第２軸部２２との相対変位を実現できる。
【０１２２】
また、本実施形態によると、取出機構６は、複数の型部７，８が分離された状態の金型２から樹脂成形品１００を取り出した後、樹脂成形品１００とともに金型２から抜き出された第１軸部２１を、セット軸戻し部４３によって樹脂成形品から抜き出すことができる。
【０１２３】
また、本実施形態によると、取出機構６は、樹脂成形品１００を金型２の可動型部８から取り出すタイミングと、樹脂成形品１００をセット軸５の第１軸部２１から取り出すタイミングとを異ならせることができる。これにより、樹脂成形品１００は、金型２およびセット軸５の双方に拘束された２箇所同時拘束の状態において、セット軸５および金型２の双方から同時に抜き出されることを防止できる。すなわち、本実施形態では、樹脂成形品１００は、まず、金型２の可動型部８から取出機構６によって取り出され、次いで、セット軸５から取出機構６によって取り出される。これにより、樹脂成形品１００は、外周面１０２ｃと内周面（孔部１０１ｆ）の双方から同時に大きな摩擦抵抗を受けて傷が付くことを抑制できる。したがって、セット軸５の向き（角度）と樹脂成形品１００の孔部１０１ｆの向き（角度）とがずれている場合であっても、セット軸５は、インサート１０１の孔部１０１ｆの一部に強く押し当てられずに済む。これにより、インサート１０１の孔部１０１ｆのうちセット軸５に押し当てられている箇所を削ってしまうことを抑制できる。すなわち、インサート１０１の孔部１０１ｆに損傷部であるアンダーカットが生じることを抑制できる。また、樹脂成形品１００が金型２から取り出される際において、樹脂成形品１００の外周面１０２ｃと金型２の内面（外周面形成部１２）との摩擦抵抗を小さくできる。これにより、樹脂成形品１００の外周面１０２ｃに傷が付くことを抑制できる。
【０１２４】
また、本実施形態によると、取出機構６のエジェクタピン３３によって、金型２の可動型部８から樹脂成形品１００を取り出すことができる。
【０１２５】
また、本実施形態によると、取出機構６は、セット軸５の第２軸部２２とエジェクタピン３３とを軸方向Ｘ１に一体に変位可能に構成されている。この構成によると、セット軸５と樹脂成形品１００の孔部１０１ｆとの嵌合状態を維持したまま、樹脂成形品１００を金型２の可動型部８から取り出すことができる。これにより、金型２による拘束が解除された状態で、樹脂成形品１００からセット軸５を抜き出すことができる。
【０１２６】
より具体的には、取出機構６の連結部材３４が、セット軸５の第２軸部２２、および、エジェクタピン３３の双方と軸方向Ｘ１に一体的に変位可能に連結されている。この構成によると、１つのアクチュエータ３５で連結部材３４を駆動することで、セット軸５およびエジェクタピン３３を駆動することができる。すなわち、セット軸５を駆動するための駆動部とエジェクタピン３３を駆動するための駆動部とを別々に設ける必要が無く、樹脂成形品製造装置１の構成をより簡素にできる。
【０１２７】
また、本実施形態によると、取出機構６は、セット軸５が嵌合した状態の樹脂成形品１００を、エジェクタピン３３によって金型２の可動型部８から取り出すことができる。この場合、樹脂成形品１００は、セット軸５との間で相対変位を生じないので、セット軸５との摺動に起因する傷の発生を抑制できるとともに、樹脂成形品１００の外周面１０２ｃに作用する負荷が過大にならずに済み、当該外周面１０２ｃの損傷も抑制される。また、樹脂成形品１００は、金型２の可動型部８から取り外された状態で、セット軸５の第１軸部２１を取り外される。この場合、樹脂成形品１００は、金型２による拘束を解かれているので、樹脂成形品１００とセット軸５の第１軸部２１との間に作用する摩擦抵抗は、樹脂成形品１００の外周面１０２ｃが金型２に拘束されている場合の摩擦抵抗よりも小さくなる。よって、取出機構６は、セット軸３の第１軸部２１を樹脂成形品１００からより小さい力で取り出すことができる。これにより、セット軸５が樹脂成形品１００の孔部１０１ｆの内周面を傷つける（アンダーカットを生じる）ことをより確実に抑制できる。しかも、このような取出機構６の動作は、エジェクタピン３３とセット軸５とを軸方向Ｘ１に変位させる簡易な構成で実現できる。
【０１２８】
また、本実施形態によると、取出機構６は、樹脂成形品１００を可動型部８の外周面形成部１２から抜き出すことで、樹脂成形品１００を、金型２の可動型部８から取り出す。この構成によると、樹脂成形品１００は、金型２において特に外周面形成部１２から拘束力を受ける。そして、取出機構６が樹脂成形品１００を外周面形成部１２から取り出すことで、樹脂成形品１００に作用する拘束力を解放することができる。
【０１２９】
また、本実施形態によると、セット軸５は、キャビティ３内に配置されるインサート１０１に形成された孔部１０１ｆに嵌合可能に構成されている。この構成によると、樹脂成形品製造装置１は、芯金などのインサート１０１を有する樹脂成形品１００を形成することができる。特に、インサート１０１の硬度がセット軸５の硬度よりも低い場合、インサート１０１の孔部１０１ｆとセット軸５との間でアンダーカットが生じ易い傾向にある。しかしながら、樹脂成形品製造装置１は、孔部１０１ｆとセット軸５との摺動によるアンダーカットの発生を抑制できるので、インサート１０１の硬度が低い場合でも、当該インサート１０１にアンダーカットが発生することをより確実に抑制できる。
【０１３０】
なお、本実施形態において、第１軸部２１は、セット軸戻し部４３によって第２軸部２２に載せ置かれる形態に限定されない。たとえば、第１軸部２１は、樹脂成形品１００が完成した後の次の射出成形動作で用いられるインサート１０１の孔部１０１ｆに挿入された状態で、第２軸部２２に載せ置かれてもよい。また、第１軸部２１を第２軸部２２側に付勢するばね部材（図示せず）を用いて、第１軸部２１を第２軸部２２側に戻してもよい。また、第１軸部２１は、作業員の手で樹脂成形品１００の孔部１０１ｆから引き抜かれた後に、第２軸部２２に載せ置かれてもよい。
【０１３１】
図１１は、本発明の第２実施形態にかかる樹脂成形品製造装置１Ａの主要部の断面図であり、樹脂成形品１００を併せて示している。なお、以下では、第１実施形態と異なる点について主に説明し、第１実施形態と同様の構成には、図に同様の符号を付して詳細な説明を省略する。
【０１３２】
図１１を参照して、第１軸部２１Ａの大径部２４Ａは、変位規制部２４ａを有している。変位規制部２４ａは、大径部２４Ａの基端部に形成された環状の鍔部である。変位規制部２４ａは、第１軸部２１Ａが可動金型８から抜けることを防止するために設けられている。樹脂成形品１００がキャビティ３内に配置されている状態において、変位規制部２４ａとブッシュ１７とは、軸方向Ｘ１に所定の間隔をあけて向かい合っている。これにより、第１軸部２１Ａが可動型部８に対して軸方向Ｘ１の一方Ｘ１１に上記の間隔以上変位することは、規制される。
【０１３３】
本実施形態によると、取出機構６が動作することで、樹脂成形品１００は、セット軸５の第１軸部２１Ａとともに軸方向Ｘ１の一方Ｘ１１に変位される。この際、変位規制部２４ａがブッシュ１７に受けられることで、第１軸部２１Ａの過度の変位が規制されるので、第１軸部２１Ａが可動金型８から抜けることを抑制できる。
【０１３４】
図１２は、本発明の第３実施形態にかかる樹脂成形品製造装置１Ｂの主要部の断面図であり、樹脂成形品１００を併せて示している。第１実施形態では、セット軸５の第１軸部２１を樹脂成形品１００から抜き出すために、セット軸戻し部４３が必要であった。これに対して、樹脂成形品製造装置１Ｂでは、セット軸戻し部４３が不要である。以下、より具体的に説明する。
【０１３５】
図１２を参照して、樹脂成形品製造装置１Ｂは、セット軸５Ｂと、ボルト部材などを用いて形成された第２連結部材４６と、を有している。
【０１３６】
セット軸５Ｂは、第１軸部２１Ｂと、第２軸部２２Ｂと、を有している。第１軸部２１Ｂと第２軸部２２Ｂとは、分離しており、互いの端面４１，４２が配列方向Ｈ１（軸方向Ｘ１と直交する方向）に摺動可能である。
【０１３７】
第２軸部２２Ｂは、筒状部４７を有している。筒状部４７の一端面が、第２端面４２を形成している。筒状部４７の基端部には、鍔部４７ａが形成されている。この鍔部４７ａは、連結部材３４によって軸方向Ｘ１に挟まれている。これにより、第２軸部２２Ｂは、連結部材３４と軸方向Ｘ１に一体的に移動可能に連結されている。また、鍔部４７ａの内部には、環状の段部４７ｂが形成されている。この環状の段部４７ｂは、配列方向Ｈ１に延びている。
【０１３８】
第２連結部材４６は、第１軸部２１Ｂと第２軸部２２Ｂとを、軸方向Ｘ１に一体移動可能に、且つ、各セット軸５が並んでいる配列方向Ｈ１に相対変位可能に連結している。第２連結部材４６は、前述したように、ボルトを用いて形成されている。
【０１３９】
第２連結部材４６は、固定部４６ａと、主軸部４６ｂと、張出部４６ｃと、を有している。
【０１４０】
固定部４６ａは、雄ねじ部であり、第１軸部２１Ｂの大径部２４の基端部に形成された雌ねじ部２４ｂに螺合によって固定されている。主軸部４６ｂは、軸方向Ｘ１に延びる円柱状の軸部であり、固定部４６ａから軸方向Ｘ１の他方Ｘ１２に延び筒状部４７に隙間をあけて嵌合されている。主軸部４６ｂと筒状部４７との隙間は、配列方向Ｈ１の隙間である。主軸部４６ｂの一端部に、張出部４６ｃが形成されている。
【０１４１】
張出部４６ｃは、ボルトの頭部であり、主軸部４６ｂからこの主軸部４６ｂの径方向外方に延びている。張出部４６ｃは、第２軸部２２Ｂの基端部に収容されており、第２軸部２２Ｂの環状の鍔部４７ａと、連結部材３４とによって、軸方向Ｘ１に挟まれている。張出部４６ｃは、第１軸部２１Ｂと協働して第２軸部２２の筒状部４７を軸方向Ｘ１に挟んでいる。張出部４６ｃと筒状部４７とは、配列方向Ｈ１に隙間をあけて嵌合している。
【０１４２】
上記の構成により、セット軸５Ｂの第１軸部２１Ｂは、連結部材３４とは軸方向Ｘ１に一体的に変位可能である。よって、樹脂成形品１００がキャビティ３から取り出された後、第１軸部２１Ｂは、第２軸部２２Ｂが軸方向Ｘ１の他方Ｘ１２に変位する動作に合わせて、軸方向Ｘ１の他方Ｘ１２に変位する。これにより、第１軸部２１Ｂが樹脂成形品１００から引き抜かれる。
【０１４３】
この場合、アクチュエータ３５は、本発明の「セット軸駆動部」の一例であり、セット軸５の第１軸部２１Ｂを樹脂成形品１００の孔部１０１ｆから抜き出すように第１軸部２１Ｂを変位させる。アクチュエータ３５は、各セット軸５の第１軸部２１Ｂを対応する樹脂成形品１００から抜き取る駆動力を各セット軸５の第１軸部２１Ｂに付与する。
【０１４４】
また、アクチュエータ３５は、連結部材３４をセット軸５の軸方向Ｘ１の他方Ｘ１２に変位させることで、複数のセット軸５の第１軸部２１Ｂを一括して樹脂成形品１００から抜き取ることが可能である。
【０１４５】
そして、温度差によって、セット軸５１Ｂ，５２Ｂの第１軸部２１Ｂ，２１Ｂ間のピッチと、第２軸部２２Ｂ，２２Ｂ間のピッチが異なった場合には、対応する第１軸部２１Ｂおよび第２軸部２２Ｂが配列方向Ｈ１に相対変位する。これにより、上記のピッチ差が吸収される。
【０１４６】
本実施形態によると、第２連結部材４６は、第１軸部２１Ｂと第２軸部２２Ｂとを、軸方向Ｘ１に一体移動可能に、且つ、配列方向Ｈ１に相対変位可能に連結する。この構成によると、第１軸部２１Ｂと第２軸部２２Ｂとの相対的な変位を許容しつつ、樹脂成形品１００が金型２から取り出されることに伴って第１軸部２１Ｂが金型から抜けることを防止できる。
【０１４７】
また、本実施形態によると、第２連結部材４６の張出部４６ｃは、第１軸部２１Ｂと協働して第２軸部２２Ｂを軸方向Ｘ１に挟むように配置されている。この構成によると、第２連結部材４６は、第１軸部２１Ｂと協働して第２軸部２２Ｂを軸方向Ｘ１に挟むことで、第１軸部２１Ｂと第２軸部２２Ｂとの軸方向Ｘ１における一体的な変位をより確実に達成できる。そして、主軸部４６ｂと筒状部４７との間の隙間ぶん、第１軸部２１Ｂと第２軸部２２Ｂとを配列方向Ｈ１に相対変位させることができる。
【０１４８】
また、本実施形態によると、アクチュエータ３５は、連結部材３４を軸方向Ｘ１の他方Ｘ１２に変位させることで、複数のセット軸５Ｂの第１軸部２１Ｂを一括して樹脂成形品１００から抜き取る。この構成によると、アクチュエータ３５によって、複数のセット軸５Ｂを一括して樹脂成形品１００から抜き取ることができるので、樹脂成形品１００を樹脂成形品製造装置１Ｂから取り出す作業をより早くできる。
【０１４９】
図１３は、本発明の第４実施形態にかかる樹脂成形品製造装置１Ｃの主要部の断面図であり、樹脂成形品１００を併せて示している。図１３に示すように、樹脂成形品製造装置１Ｃにおいては、各キャビティ３のそれぞれに、セット軸駆動部５５およびエジェクタピン駆動部５６が設けられている。これらセット軸駆動部５５およびエジェクタピン駆動部５６は、独立して動作するように構成されている。すなわち、取出機構６は、セット軸駆動部５５およびエジェクタピン駆動部５６をさらに備えており、セット軸５Ｂとエジェクタピン３３とを独立してセット軸５Ｂの軸方向Ｘ１に変位可能に構成されている。
【０１５０】
具体的には、各キャビティ３に関して、セット軸駆動部５５とエジェクタピン駆動部５６とが設けられている。セット軸駆動部５５およびエジェクタピン駆動部５６は、たとえば、油圧シリンダなどのアクチュエータを用いて形成されている。
【０１５１】
セット軸駆動部５５は、第３実施形態のアクチュエータ３５（図１２参照）における、セット軸５Ｂを軸方向Ｘ１に動作するための機能と同様の機能を発揮するために設けられている。セット軸駆動部５５の出力軸５５ａは、セット軸５Ｂの第２軸部２２Ｂに連結されており、セット軸５Ｂとは軸方向Ｘ１に一体的に変位可能、且つ、配列方向Ｈ１に相対変位可能である。本実施形態では、セット軸５Ｂは、連結部材３４Ｃに連結されておらず、連結部材３４Ｃとは独立して変位可能である。
【０１５２】
エジェクタピン駆動部５６は、アクチュエータ３５（図１２参照）における、エジェクタピン３３を軸方向Ｘ１に動作するための機能と同様の機能を発揮するために設けられている。エジェクタピン駆動部５６は、セット軸駆動部５５とは独立して動作可能に構成されている。エジェクタピン駆動部５６の出力軸５６ａは、連結部材３４Ｃに連結されており、この連結部材３４Ｃとは軸方向Ｘ１に一体的に変位可能である。
【０１５３】
連結部材３４Ｃは、キャビティ３毎に独立して設けられている。各連結部材３４Ｃは、独立して変位する。また、各セット軸駆動部５５の出力軸５５ａ（第２軸部２２Ｂ）同士を一体変位可能に連結する連結部材３４Ｃ’が設けられている。
【０１５４】
上記の構成により、取出機構６は、複数のキャビティ３における複数のセット軸５Ｂの動作タイミングを異ならすようにして複数のセット軸５を動作させることが可能に構成されている。
【０１５５】
本実施形態によると、取出機構６は、セット軸５Ｂとエジェクタピン３３とを独立してセット軸５Ｂの軸方向Ｘ１に変位可能に構成されている。この構成によると、樹脂成形品１００からセット軸５Ｂを取り出すタイミングと、金型２から樹脂成形品１００を取り出すタイミングとを、任意に設定することができる。これにより、樹脂成形品１００への負荷がより少ない態様で、樹脂成形品１００を金型２の可動型部８およびセット軸５Ｂに対して取り出すことができる。
【０１５６】
また、本実施形態によると、セット軸駆動部５５とエジェクタピン駆動部５６とを別々に動作させることで、樹脂成形品１００からセット軸５Ｂを取り出すタイミングと、金型２の可動型部８から樹脂成形品１００を取り出すタイミングとを、異ならせることができる。
【０１５７】
なお、第４実施形態においては、セット軸５Ｂを樹脂成形品１００の孔部１０１ｆから引き抜いた後に、エジェクタピン３３によって樹脂成形品１００を金型２の可動型部８から押し出してもよい。
【０１５８】
図１４は、本発明の第５実施形態にかかる樹脂成形品製造装置１Ｄの主要部の断面図であり、樹脂成形品１００を併せて示している。図１４に示すように、各キャビティ３において、セット軸５Ｄが複数設けられている。各セット軸５Ｄは、対応する円筒部収容部１５に収容されている。各セット軸５Ｄの第１軸部２１Ｄは、第１軸部２１Ｂ（図１２参照）と同様の構成を有している。また、各セット軸５Ｄの第２軸部２１Ｄは、第２軸部２２Ｂ（図１２参照）と同様の構成を有している。各セット軸５Ｄにおいて、第１軸部２１Ｄと第２軸部２２Ｄとは、連結部材４６Ｄを用いて軸方向Ｘ１に一体的に変位可能且つ配列方向Ｈ１に相対移動可能に連結されている。各セット軸５Ｄの連結部材４６Ｄは、連結部材４６（図１２参照）と同様の構成を有している。
【０１５９】
インサート１０１Ｄは、各セット軸５Ｄの第１軸部２１Ｄの嵌合部２５Ｄに嵌合する孔部１０１ｆＤを有している。各セット軸５Ｄの第２軸部２２Ｄに、セット軸駆動部５５の出力軸５５ａが軸方向Ｘ１に一体的に変位可能に、且つ、配列方向Ｈ１に相対変位可能に連結されている。各キャビティ３において、２つの出力軸５５ａは、連結部材３４Ｃ’によって一体的に変位可能に連結されている。上記の構成により、取出機構６は、キャビティ３１，３２間において、複数のセット軸５Ｄの動作タイミングを異ならすようにして複数のセット軸５Ｄを動作させることが可能である。
【０１６０】
本実施形態によると、取出機構６は、複数のキャビティ３１，３２における複数のセット軸５Ｄの動作タイミングを異ならすようにして複数のセット軸５Ｄを動作させることが可能に構成されている。この構成によると、複数のセット軸５Ｄの動作を同期させる必要が無い。よって、複数のセット軸５Ｄを静止状態から動作状態に移行させるタイミングを異ならせることができる。すなわち、各セット軸５Ｄと対応する樹脂成形品１００とを静止摩擦状態から動摩擦状態に移行させるタイミングを異ならせることができる。その結果、取出機構６の負荷（最大出力）をより低減できる。
【０１６１】
また、この実施形態によると、１つの樹脂成形品１００に複数の孔部１０１ｆＤを形成することができる。また、このような場合であっても、樹脂成形品１００とセット軸５Ｄとの摺動によって樹脂成形品１００にアンダーカットが生じることは、抑制される。これにより、樹脂成形品製造装置１Ｄのセット軸５Ｄに嵌合する樹脂成形品１００の孔部１０１ｆＤ、および、樹脂成形品１００の外周面１０２ｃに傷などの損傷が生じることをより確実に抑制できる。
【０１６２】
以上、本発明の実施形態について説明したけれども、本発明は上述の実施の形態に限られず、特許請求の範囲に記載した限りにおいて様々に変更して実施することができる。
【０１６３】
上述の各実施形態では、樹脂成形品にインサートが設けられる形態を例に説明した。しかしながら、この通りでなくてもよい。たとえば、樹脂成形品の孔部は、樹脂部によって形成されていてもよい。この場合、インサートが設けられなくてもよい。
【産業上の利用可能性】
【０１６４】
本発明は、樹脂成形品製造装置、および、樹脂成形品製造方法として、広く適用することができる。
【符号の説明】
【０１６５】
１，１Ａ，１Ｂ，１Ｃ，１Ｄ    樹脂成形品製造装置
２                            金型
３                            キャビティ
５，５Ａ，５Ｂ，５Ｄ          セット軸
６                            取出機構
７                            固定型部
８                            可動型部
１２                          外周面形成部
２１，２１Ａ，２１Ｂ，２１Ｄ  第１軸部
２２，２２Ｂ，２２Ｄ          第２軸部
２４ａ                        変位規制部
２５，２５Ｄ                  嵌合部
３３                          エジェクタピン
３４，３４Ｃ                  連結部材
３５                          アクチュエータ（セット軸駆動部、エジェクタピン駆動部）
４１                          端面
４３                          セット軸戻し部（セット軸駆動部）
４２                          端面
４６                          第２連結部材
４６ａ                        固定部
４６ｂ                        主軸部
４６ｃ                        張出部
４７                          筒状部
５５                          セット軸駆動部
５６                          エジェクタピン駆動部
１０１ｆ，１０１ｆＤ          孔部
１０１                        インサート
１０２ｃ                      樹脂部の外周面
１０２                        樹脂部
Ｈ１                          配列方向
Ｘ１                          軸方向
【図１】
0006290025.tif 000002
【図２】
0006290025.tif 000003
【図３】
0006290025.tif 000004
【図４】
0006290025.tif 000005
【図５】
0006290025.tif 000006
【図６】
0006290025.tif 000007
【図７】
0006290025.tif 000008
【図８】
0006290025.tif 000009
【図９】
0006290025.tif 000010
【図１０】
0006290025.tif 000011
【図１１】
0006290025.tif 000012
【図１２】
0006290025.tif 000013
【図１３】
0006290025.tif 000014
【図１４】
0006290025.tif 000015